(57)【要約】  マルチ空調システム（１００）の複数の室内機（１Ａ〜１Ｃ）の各々は、制御装置（２）からの報知信号（Ｃｍ１〜Ｃｍ３）に応じて当該室内機の報知部（１１Ａ〜１１Ｃ，１２Ａ〜１２Ｃ）を動作させる。複数の室内機（１Ａ〜１Ｃ）に含まれる少なくとも１つの室内機（１Ｃ）に異常が発生した場合、少なくとも１つの室内機（１Ｃ）の各々は、当該室内機（１Ｃ）の識別情報（Ａｄ３）を含む異常発生信号（Ａｂ３）を制御装置（２）に送信する。制御装置（２）は、送信済みの報知信号（Ｃｍ３）に対応する応答信号（Ａｃ３Ｆ）によって異常が発生した少なくとも１つの室内機（１Ｃ）の各々の報知部（１１Ｃ，１２Ｃ）の動作を確認することができない場合、複数の室内機（１Ａ〜１Ｃ）のうち報知信号（Ｃｍ３）が送信されていない室内機（１Ａ，１Ｂ）に報知信号（Ｃｍ１，Ｃｍ２）を送信する。
2020157920.tif 000002
【特許請求の範囲】
【請求項１】
第１空間に配置された室外機と、
前記室外機とともに冷凍サイクルを形成し、前記第１空間とは異なる少なくとも１つの第２空間に送風する複数の室内機と、
前記複数の室内機を制御する制御装置とを備え、
前記複数の室内機の各々は、報知部を含み、前記制御装置からの報知信号に応じて当該室内機の報知部を動作させるとともに、当該室内機の識別情報および当該室内機の報知部の動作状態を含む応答信号を前記制御装置に送信し、
前記報知部の動作は、前記少なくとも１つの第２空間内のユーザから確認可能であり、
前記複数の室内機に含まれる少なくとも１つの室内機に異常が発生した場合、前記少なくとも１つの室内機の各々は、当該室内機の識別情報を含む異常発生信号を前記制御装置に送信し、
前記制御装置は、送信済みの報知信号に対応する応答信号によって前記少なくとも１つの室内機の各々の報知部の動作を確認することができない場合、前記複数の室内機のうち報知信号が送信されていない室内機に報知信号を送信する、マルチ空調システム。
【請求項２】
前記制御装置は、前記少なくとも１つの第２空間のいずれかに配置され、異常発生信号の受信に応じて当該異常発生信号に含まれる識別情報に対応する室内機に自動的に報知信号を送信する、請求項１に記載のマルチ空調システム。
【請求項３】
前記制御装置は、前記複数の室内機を選択可能な操作部を含み、前記操作部においてユーザによって選択された室内機に報知信号を送信する、請求項１または２に記載のマルチ空調システム。
【請求項４】
前記制御装置は、表示部を含み、
前記制御装置は、前記少なくとも１つの室内機の各々の報知部が動作しているか、あるいは前記複数の室内機のうち正常な室内機の報知部が動作しているかを前記表示部に表示する、請求項１〜３のいずれか１項に記載のマルチ空調システム。
【請求項５】
前記制御装置は、前記第１空間に配置されている、請求項３または４に記載のマルチ空調システム。
【請求項６】
前記制御装置は、前記複数の室内機を制御するためのアプリケーションがインストールされたパーソナルコンピュータであり、前記アプリケーションに対するユーザの入力によって選択された室内機に報知信号を送信する、請求項１〜５のいずれか１項に記載のマルチ空調システム。
【請求項７】
前記複数の室内機の各々は、無線通信部をさらに含み、
前記制御装置は、前記報知信号を送信する場合、異常が発生している室内機の無線強度と、正常な室内機の無線強度とが互いに異なるように前記複数の室内機の各々に当該室内機の状態に応じた無線強度信号を送信し、
前記無線通信部は、前記制御装置からの無線強度信号に応じて無線通信の強度を変化させる、請求項１〜６のいずれか１項に記載のマルチ空調システム。
【請求項８】
前記複数の室内機の各々は、前記報知部として当該室内機の送風方向を変更する風向調整板を含み、前記制御装置からの報知信号に応じて、前記風向調整板を揺動させる、請求項１〜７のいずれか１項に記載のマルチ空調システム。
【発明の詳細な説明】
【技術分野】
【０００１】
本発明は、複数の室内機を備えるマルチ空調システムに関する。
【背景技術】
【０００２】
従来、異常を報知する機能を有する空気調和装置が知られている。たとえば特開２０００−１９３２９２号公報（特許文献１）には、空気調和装置に異常が発生した場合に、運転表示ランプを点滅させながらフラップの向きを操作する空気調和装置が開示されている。当該空気調和装置によれば、異常の確認が容易になるとともに、異常に対するメンテナンスを効率よく行なうことができる。
【先行技術文献】
【特許文献】
【０００３】
【特許文献１】特開２０００−１９３２９２号公報
【発明の概要】
【発明が解決しようとする課題】
【０００４】
複数の室内機を備えるマルチ空調システムにおいて、特許文献１に開示されている空気調和装置と同様に、各室内機が異常を報知する構成を備える場合、複数の室内機が配置されている空間から異常が発生している室内機を識別することが容易になる。しかし、異常を報知する構成自体が故障等で動作しない場合、当該構成の動作によっては、正常な室内機と異常な室内機とを区別することが困難である。【０００５】
本発明は、上述のような課題を解決するためになされたものであり、その目的は、マルチ空調システムにおいて、異常が発生している室内機の発見を容易にすることである。
【課題を解決するための手段】
【０００６】
本発明に係るマルチ空調システムは、室外機と、複数の室内機と、制御装置とを備える。室外機は、第１空間に配置されている。複数の室内機は、室外機とともに冷凍サイクルを形成する。複数の室内機は、第１空間とは異なる少なくとも１つの第２空間に送風する。制御装置は、複数の室内機を制御する。複数の室内機の各々は、報知部を含む。複数の室内機の各々は、制御装置からの報知信号に応じて当該室内機の報知部を動作させる。複数の室内機の各々は、当該室内機の識別情報および当該室内機の報知部の動作状態を含む応答信号を制御装置に送信する。報知部の動作は、少なくとも１つの第２空間内のユーザから確認可能である。複数の室内機に含まれる少なくとも１つの室内機に異常が発生した場合、少なくとも１つの室内機の各々は、当該室内機の識別情報を含む異常発生信号を制御装置に送信する。制御装置は、送信済みの報知信号に対応する応答信号によって異常が発生した少なくとも１つの室内機の各々の報知部の動作を確認することができない場合、複数の室内機のうち報知信号が送信されていない室内機に報知信号を送信する。
【発明の効果】
【０００７】
本発明によれば、送信済みの報知信号に対応する応答信号によって異常が発生した少なくとも１つの室内機の各々の報知部の動作を確認することができない場合、制御装置が複数の室内機のうち報知信号が送信されていない室内機に報知信号を送信して当該室内機の報知部を動作させることにより、異常が発生している室内機の発見を容易にすることができる。
【図面の簡単な説明】
【０００８】
【図１】実施の形態１に係るマルチ空調システムの室内空間の様子を示す図である。
【図２】図１のマルチ空調システムにおいて、或る室内機のベーンが故障している場合を示す図である。
【図３】図１および図２のリモートコントローラにおいて、室内機から異常発生信号が受信された場合に行なわれる処理の流れを示すフローチャートである。
【図４】実施の形態１に係るマルチ空調システムに含まれる室内機において、報知信号が受信された場合に行なわれる処理の流れを示すフローチャートである。
【図５】操作部においてユーザによって或る室内機が選択された場合に、図１および図２のリモートコントローラにおいて行なわれる処理の流れを示すフローチャートである。
【図６】実施の形態２に係るマルチ空調システムの室内空間の様子を示す図である。
【図７】実施の形態３に係るマルチ空調システムを示す図である。
【図８】実施の形態４に係るマルチ空調システムの室内空間の様子を示す図である。
【発明を実施するための形態】
【０００９】
以下、本発明の実施の形態について、図面を参照しながら詳細に説明する。なお、図中同一または相当部分には同一符号を付してその説明は原則として繰り返さない。
【００１０】
実施の形態１．
図１は、実施の形態１に係るマルチ空調システム１００の室内空間の様子を示す図である。図１に示されるように、室内空間（第２空間）には、室内機１Ａ〜１Ｃと、リモートコントローラ２（制御装置）とが配置されている。室内機１Ａ〜１Ｃは、天井Ｃｅ１に設置されている。室内機１Ａ〜１Ｃは、図１においては不図示の、室外空間（第１空間）に配置された室外機とともに冷凍サイクルを形成し、室内空間に送風する。なお、図１に示される室内機１Ａ〜１Ｃは、マルチ空調システム１００に含まれる複数の室内機の一部である。複数の室内機が配置される空間は、複数であってもよい。
【００１１】
複数の室内機の各々の吹き出し口には、当該室内機の送風方向を変更するベーン（風向調整板）が設置されている。ベーンは、不図示のモータによって駆動される。室内機１Ａは、ベーン１１Ａおよび１２Ａを含む。室内機１Ｂは、ベーン１１Ｂおよび１２Ｂを含む。室内機１Ｃは、ベーン１１Ｃおよび１２Ｃを含む。各ベーンの動作は、室内空間から視認可能である。
【００１２】
リモートコントローラ２は、室内空間の壁面に設置されている。リモートコントローラ２は、表示部２１と、操作部２２とを含む。ユーザＵｓ１は、表示部２１において、室内温度、運転モード、ならびに各室内機の送風量および送風方向等を確認することができる。ユーザＵｓ１は、操作部２２において、室内温度の設定、運転モード、ならびに各室内機の送風量および送風方向等を変更することが可能である。たとえば、ユーザＵｓ１が操作部２２において室内機１Ａの送風方向を変更した場合、ベーン１１Ａおよび１２Ａの向きが変更される。なお、ユーザＵｓ１は、たとえばマルチ空調システム１００の整備を行なう作業者を含む。
【００１３】
マルチ空調システム１００に含まれる室外機、複数の室内機、およびリモートコントローラ２は、通信ネットワークによって接続されており、互いに通信が可能である。複数の室内機には、リモートコントローラ２との通信に用いられる固有のアドレス（識別情報）がそれぞれ割り当てられている。室内機１Ａ〜１Ｃには、アドレスＡｄ１〜Ａｄ３がそれぞれ割り当てられている。
【００１４】
複数の室内機に含まれる少なくとも１つの室内機に異常が発生した場合、異常が発生した室内機の各々は、当該室内機のアドレスおよび異常コードを含む異常発生信号をリモートコントローラ２に送信する。図１においては、異常が発生した室内機１Ｃが、アドレスＡｄ３および異常コードを含む異常発生信号Ａｂ３をリモートコントローラ２に送信している様子が示されている。
【００１５】
リモートコントローラ２は、異常発生信号Ａｂ３の受信に応じて、異常発生信号Ａｂ３に含まれるアドレスＡｄ３に自動的に報知信号Ｃｍ３を送信する。室内機１Ｃは、報知信号Ｃｍ３に応じてベーン１１Ｃおよび１２Ｃを揺動させるとともに、アドレスＡｄ３ならびにベーン１１Ｃおよび１２Ｃの動作状態を含む応答信号Ａｃ３をリモートコントローラ２に送信する。ユーザＵｓ１は、ベーン１１Ｃおよび１２Ｃの揺動によって、ベーン１１Ａ，１２Ａが停止している正常な室内機１Ａおよびベーン１１Ｂ，１２Ｂが停止している正常な室内機１Ｂから異常な室内機１Ｃを識別することができる。
【００１６】
ベーンが正常に動作する場合は、ベーンの動作によって正常な室内機と異常な室内機とを区別することができる。しかし、異常な室内機のベーンが故障等で動作しない場合、ベーンの動作によっては正常な室内機と異常な室内機とを区別することが困難である。また、送信済みの報知信号に対応する応答信号を受信することができない場合、リモートコントローラ２と異常な室内機との間の通信に異常が発生し、リモートコントローラ２からの報知信号が当該室内機に届いておらず、当該室内機のベーンが揺動していない可能性がある。
【００１７】
そこで、マルチ空調システム１００においては、送信済みの報知信号に対応する応答信号によって異常な室内機の各々のベーンの揺動を確認することができない場合、すべての正常な室内機に報知信号を送信する。その結果、正常な室内機のベーンが揺動する一方、異常な室内機のベーンが停止しているため、ユーザＵｓ１は、室内空間において複数の室内機から異常な室内機を識別することができる。なお、送信済みの報知信号に対応する応答信号によって異常が発生した室内機の各々のベーンの揺動を確認することができない場合には、応答信号にベーンの故障を示す情報が含まれている場合、および送信済みの報知信号に対応する応答信号を受信することができない場合が含まれる。
【００１８】
図２は、図１のマルチ空調システム１００において、室内機１Ｃのベーン１１Ｃ，１２Ｃが故障している場合を示す図である。図２に示されるように、異常が発生した室内機１Ｃは、応答信号Ａｃ３Ｆにベーンの故障を示す情報を加えて、応答信号Ａｃ３Ｆをリモートコントローラ２に送信する。リモートコントローラ２は、応答信号Ａｃ３Ｆに応じて、正常な室内機１Ａ，１Ｂに報知信号Ｃｍ１，Ｃｍ２をそれぞれ送信する。室内機１Ａは、報知信号Ｃｍ１に応じて応答信号Ａｃ１をリモートコントローラ２に送信するとともに、ベーン１１Ａ，１２Ａを揺動させる。室内機１Ｂは、報知信号Ｃｍ２に応じて応答信号Ａｃ２をリモートコントローラ２に送信するとともにベーン１１Ｂ，１２Ｂを揺動させる。ユーザＵｓ１は、ベーン１１Ｃおよび１２Ｃが停止していることによって、ベーン１１Ａ，１２Ａが揺動している正常な室内機１Ａおよびベーン１１Ｂ，１２Ｂが揺動している室内機１Ｂから異常な室内機１Ｃを識別することができる。
【００１９】
図３は、図１および図２のリモートコントローラ２において、室内機から異常発生信号が受信された場合に行なわれる処理の流れを示すフローチャートである。図３に示される処理は、リモートコントローラ２の統合的な処理を行なうメインルーチンによって呼び出される。以下では、ステップを単にＳと記載する。
【００２０】
図３に示されるように、リモートコントローラ２は、Ｓ１０１において、受信した異常発生信号に含まれるアドレスに対応する室内機に報知信号を送信し、処理をＳ１０２に進める。リモートコントローラ２は、Ｓ１０２において一定時間待機した後、処理をＳ１０３に進める。なお、複数の異常発生信号を同時に受信した場合は、最も小さいアドレスから順番に報知信号を当該アドレスに対応する室内機に送信する。
【００２１】
リモートコントローラ２は、Ｓ１０３においてＳ１０１において送信した報知信号に対応する応答信号を受信したか否かを判定する。応答信号を受信した場合（Ｓ１０３においてＹＥＳ）、リモートコントローラ２は、Ｓ１０４に処理を進める。応答信号を受信していない場合（Ｓ１０３においてＮＯ）、リモートコントローラ２は、処理をＳ１０５に進める。
【００２２】
リモートコントローラ２は、Ｓ１０４おいて応答信号にベーンが正常であることを示す情報が含まれている否かを判定する。応答信号にベーンが正常であることを示す情報が含まれている場合（Ｓ１０４においてＹＥＳ）、リモートコントローラ２は、Ｓ１０６において異常な室内機のベーンが揺動していること、異常な室内機のアドレス、および異常コードを表示部２１に表示して処理をメインルーチンに返す。応答信号にベーンが異常であることを示す情報が含まれている場合（Ｓ１０４においてＮＯ）、リモートコントローラ２は、Ｓ１０５に処理を進める。
【００２３】
リモートコントローラ２は、Ｓ１０５において異常な室内機に対してベーン停止信号を送信し、処理をＳ１０７に進める。リモートコントローラ２は、Ｓ１０７においてすべての正常な室内機に報知信号を送信し、処理をＳ１０８に進める。リモートコントローラ２は、Ｓ１０８において一定時間待機した後、処理をＳ１０９に進める。
【００２４】
リモートコントローラ２は、Ｓ１０９において、正常な室内機からの応答信号の各々がベーンが正常であることを示す情報を含むか否かを判定する。正常な室内機からの応答信号の各々がベーンが正常であることを示す情報を含む場合（Ｓ１０９においてＹＥＳ）、リモートコントローラ２は、Ｓ１１０において正常な室内機のベーンが揺動していること、異常な室内機のアドレス、および異常コードを表示部２１に表示して処理をメインルーチンに返す。
【００２５】
正常な室内機からの応答信号の中にベーンが異常であることを示す情報を含む応答信号がある場合（Ｓ１０９においてＮＯ）、リモートコントローラ２は、Ｓ１１１においてベーンが停止している正常な室内機のアドレスおよび異常な室内機のアドレスを表示部２１に表示して処理をメインルーチンに返す。
【００２６】
図４は、実施の形態１に係るマルチ空調システム１００に含まれる室内機において、報知信号が受信された場合に行なわれる処理の流れを示すフローチャートである。図４に示される処理は、室内機の統合的な処理を行なうメインルーチンによって呼び出される。
【００２７】
図４に示されるように、室内機は、Ｓ１２１においてモータによるベーンの駆動を開始して、処理をＳ１２２に進める。室内機は、Ｓ１２２においてベーンが駆動されているか否かを判定する。ベーンが駆動されているか否かは、センサによって取得されたモータの回転に関する信号を用いて機械的あるいは回路的に判定されてもよいし、カメラによって取得されたベーンあるいはモータの映像を用いて判定されてよい。
【００２８】
ベーンが駆動されていない場合（Ｓ１２２においてＮＯ）、室内機は、Ｓ１２３においてモータを停止して、処理をＳ１２４に進める。室内機は、Ｓ１２４においてベーンの故障を示す情報を応答信号に加えて、当該応答信号をリモートコントローラ２に送信して処理をメインルーチンに返す。
【００２９】
ベーンが駆動されている場合（Ｓ１２２においてＹＥＳ）、室内機は、Ｓ１２５においてベーンが正常であることを示す情報を応答信号に加えてリモートコントローラ２に送信し、処理をＳ１２６に進める。室内機は、Ｓ１２６においてベーン停止信号を受信したか否かを判定する。
【００３０】
ベーン停止信号を受信していない場合（Ｓ１２６においてＮＯ）、室内機は、Ｓ１２７において一定時間待機した後、処理をＳ１２６に戻す、ベーン停止信号を受信した場合（Ｓ１２６においてＹＥＳ）、室内機は、Ｓ１２８においてベーンを駆動するモータを停止して処理をメインルーチンに返す。
【００３１】
再び図３を参照して、リモートコントローラ２は、異常発生信号の受信に応じて当該異常発生信号に含まれるアドレスに対応する室内機に自動的に報知信号を送信する。リモートコントローラ２は、リモートコントローラ２の操作部２２においてユーザＵｓ１によって選択された室内機にも報知信号を送信する。
【００３２】
図５は、操作部２２においてユーザによって或る室内機が選択された場合に、図１および図２のリモートコントローラ２において行なわれる処理の流れを示すフローチャートである。図５に示される処理は、リモートコントローラ２の統合的な処理を行なうメインルーチンによって呼び出される。
【００３３】
図５に示されるように、リモートコントローラ２は、Ｓ１３１においてユーザＵｓ１によって選択された室内機に報知信号を送信し、処理をＳ１３２に進める。リモートコントローラ２は、Ｓ１３２において一定時間待機した後、処理をＳ１３３に進める。
【００３４】
リモートコントローラ２は、Ｓ１３３においてＳ１３１において送信した報知信号に対応する応答信号を受信したか否かを判定する。応答信号を受信した場合（Ｓ１３３においてＹＥＳ）、リモートコントローラ２は、Ｓ１３４に処理を進める。応答信号を受信していない場合（Ｓ１３３においてＮＯ）、リモートコントローラ２は、処理をＳ１３５に進める。
【００３５】
リモートコントローラ２は、Ｓ１３４おいて応答信号にベーンが正常であることを示す情報が含まれている否かを判定する。応答信号にベーンが正常であることを示す情報が含まれている場合（Ｓ１３４においてＹＥＳ）、リモートコントローラ２は、Ｓ１３６において、ユーザによって選択された室内機のベーンが揺動していること、および当該室内機のアドレスを表示部２１に表示して処理をメインルーチンに返す。応答信号にベーンが異常であることを示す情報が含まれている場合（Ｓ１３４においてＮＯ）、リモートコントローラ２は、Ｓ１３５に処理を進める。
【００３６】
リモートコントローラ２は、Ｓ１３５において、ユーザによって選択された室内機に対してベーン停止信号を送信し、処理をＳ１３７に進める。リモートコントローラ２は、Ｓ１３７においてユーザによって選択された室内機のベーンの揺動が不可能であること、および当該室内機のアドレスを表示部２１に表示して処理をメインルーチンに返す。
【００３７】
なお、マルチ空調システム１００においては、ベーンを報知部として用いる場合について説明した。報知部の動作が室内空間にいるユーザから確認可能であれば報知部はどのような構成でもよく、たとえば、報知部は、ファン、ＬＥＤ（Light  Emitting  Diode）、およびスピーカを含んでいてもよい。ファンを報知部として用いる場合、室内のユーザは、ファンからの単位時間当たりの送風量によって、異常な室内機と正常な室内機とを区別することができる。ＬＥＤを報知部として用いる場合、室内空間のユーザは、ＬＥＤの発光態様によって異常な室内機と正常な室内機とを区別することができる。スピーカを報知部として用いる場合、室内空間のユーザは、スピーカからの音声あるいは音量によって異常な室内機と正常な室内機とを区別することができる。
【００３８】
以上、実施の形態１に係るマルチ空調システムによれば、異常が発生している室内機の発見を容易にすることができる。
【００３９】
実施の形態２．
実施の形態２においては、実施の形態１のリモートコントローラに替えてパーソナルコンピュータが用いられる場合について説明する。
【００４０】
図６は、実施の形態２に係るマルチ空調システム２００の室内空間の様子を示す図である。マルチ空調システム２００と１００との違いは、図１のリモートコントローラ２がパーソナルコンピュータ２Ｂに置き換えられていることと、各室内機が無線通信部を含むことである。これら以外は同様であるため、説明を繰り返さない。
【００４１】
図６に示されるように、室内機１Ａ〜１Ｃは、無線通信部１３Ａ〜１３Ｃをそれぞれ含む。室内機１Ａ〜１Ｃは、パーソナルコンピュータ２Ｂと無線通信を行なう。室内機１Ａ〜１Ｃとパーソナルコンピュータ２Ｂとの間の通信は有線接続を介して行なわれてもよい。
【００４２】
パーソナルコンピュータ２Ｂは、ディスプレイ２１Ｂ（表示部）と、操作部２２Ｂとを含む。操作部２２Ｂは、キーボードおよびタッチパッドを有する。パーソナルコンピュータ２Ｂには、マルチ空調システム２００を制御するためのアプリケーションが予めインストールされている。ユーザＵｓ１は、パーソナルコンピュータ２Ｂにおいて操作部２２Ｂへの入力を介して当該アプリケーションを操作することにより、マルチ空調システム２００を制御する。パーソナルコンピュータ２Ｂにおいては、図３および図５に示される処理が行なわれる。なお、図６においては、パーソナルコンピュータ２Ｂが室内空間に配置されている様子を示しているが、パーソナルコンピュータ２Ｂは、室外空間に配置されていてもよい。
【００４３】
以上、実施の形態２に係るマルチ空調システムによれば、異常が発生している室内機の発見を容易にすることができる。
【００４４】
実施の形態３．
実施の形態３においては、制御装置が室外機に設置されている場合について説明する。図７は、実施の形態３に係るマルチ空調システム３００を示す図である。マルチ空調システム３００と１００との違いは、図１のリモートコントローラ２が制御装置２Ｃに置き換えられていることとである。これ以外の点は同様であるため、説明を繰り返さない。
【００４５】
図７に示されるように、室外空間と室内空間とは壁Ｗａ１によって隔てられている。室外機３は、室外空間に配置されている。室外機３には、制御装置２Ｃが設置されている。制御装置２Ｃは、ディスプレイ２１Ｃ（表示部）と、操作部２２Ｃとを含む。制御装置２Ｃにおいては、図３および図５に示される処理が行なわれる。
【００４６】
室外空間にいるユーザＵｓ２が操作部２２Ｃを介して或る室内機を選択することにより、室内空間にいるユーザＵｓ１は、当該室内機のベーン１１Ｃ，１２Ｃの揺動を確認することができる。図７においては、ユーザＵｓ２が室内機１Ｃを選択した場合が示されている。
【００４７】
以上、実施の形態３に係るマルチ空調システムによれば、異常が発生している室内機の発見を容易にすることができる。
【００４８】
実施の形態４．
実施の形態４においては、報知部の動作に加えて、室内機の無線通信強度を異常な室内機と正常な室内機との間で異ならせることにより、異常が発生している室内機の発見を実施の形態１よりもさらに容易にする構成について説明する。
【００４９】
図８は、実施の形態４に係るマルチ空調システム４００の室内空間の様子を示す図である。マルチ空調システム４００と１００との違いは、各室内機が無線通信部を含むこと、リモートコントローラ２が２Ｄに置き換えられていること、およびユーザＵｓ１が携帯端末４を所持していることである。これら以外の点は同様であるため、説明を繰り返さない。
【００５０】
図８に示されるように、室内機１Ａ〜１Ｃは、無線通信部１４Ａ〜１４Ｃをそれぞれ含む。リモートコントローラ２Ｄは、報知信号を送信する場合、異常が発生している室内機の無線電波の強度（無線強度）と、正常な室内機の無線強度とが互いに異なるように複数の室内機の各々に当該室内機の状態に応じた無線強度信号を送信する。複数の室内機の各々の無線通信部は、リモートコントローラ２からの無線強度信号に応じて無線通信の強度を変化させる。たとえば、室内機１Ｃに異常が発生した場合、リモートコントローラ２Ｄは、室内機１Ｃには最大の無線強度に対応する無線強度信号を送信し、室内機１Ａ，１Ｂには最小の無線強度に対応する無線強度信号を送信する。リモートコントローラ２Ｄは、室内機１Ｃには最小の無線強度に対応する無線強度信号を送信し、室内機１Ａ，１Ｂには最大の無線強度に対応する無線強度信号を送信してもよい。報知信号と無線強度信号とは別個の信号としてもよいし、報知信号に無線強度が追加されてもよい。
【００５１】
携帯端末４は、たとえばスマートフォンである。携帯端末４は、ディスプレイ４１、操作部４２を含む。操作部４２は、ボタンおよびタッチパネルを有する。携帯端末４は、無線通信可能な機器から発せられる無線強度をディスプレイ４１に表示する。ユーザＵｓ１は、携帯端末４のディスプレイ４１に表示された無線強度を確認しながら、異常が発生した室内機に近くにいるか否かを確認することができる。
【００５２】
以上、実施の形態４に係るマルチ空調システムによれば、無線通信強度を確認することにより、異常が発生している室内機の発見を実施の形態１よりもさらに容易にすることができる。
【００５３】
今回開示された各実施の形態は、矛盾しない範囲で適宜組み合わせて実施することも予定されている。今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００５４】
１Ａ，１Ｂ，１Ｃ  室内機、２，２Ｄ  リモートコントローラ、２Ｂ  パーソナルコンピュータ、２Ｃ  制御装置、３  室外機、４  携帯端末、１１Ａ〜１１Ｃ，１２Ａ〜１２Ｃ  ベーン、１３Ａ〜１３Ｃ，１４Ａ〜１４Ｃ  無線通信部、２１  表示部、２１Ｂ，２１Ｃ，４１  ディスプレイ、２２，２２Ｂ，２２Ｃ，４２  操作部、１００，２００，３００，４００  マルチ空調システム、Ｃｅ１  天井、Ｗａ１  壁。
【図１】
2020157920.tif 000003
【図２】
2020157920.tif 000004
【図３】
2020157920.tif 000005
【図４】
2020157920.tif 000006
【図５】
2020157920.tif 000007
【図６】
2020157920.tif 000008
【図７】
2020157920.tif 000009
【図８】
2020157920.tif 000010
【国際調査報告】
2020157920.tif 000011
2020157920.tif 000012
2020157920.tif 000013
2020157920.tif 000014